(57)【要約】【課題】水位検出器の検出により電磁弁を開閉して温水タンク内に所定水位の水を溜める温水洗浄便座において、温水タンクからの漏水があった場合や、電磁弁から温水タンクまでの配管から漏水があった場合は、温水タンク内の温水レベルの低下速度は、自然低下における場合よりもかなり速く、頻繁に電磁弁がＯＮ／ＯＦＦするようになり、電磁弁の耐久性の低下と共に、頻繁に水道水が温水タンク内へ供給され温水温度が低下してヒータによる加熱時間も長くなり、省エネルギーの点からも好ましくない。本発明は、これを解決するものである。【解決手段】基準の給水動作間隔に対して、電磁弁による給水動作間隔が短い場合、制御部によって漏水と判定し、その判定出力によって報知部を動作させて所定の報知を行なうこと。【選択図】図１０
2010203162.tif 000002
【特許請求の範囲】
【請求項１】
給水配管にて供給される水道水をシーズヒータによって加熱する温水タンクと、前記温
水タンク内の水位を検出する水位検出器と、前記給水配管を開閉して前記水道水の供給を
制御する電磁弁を備え、前記水位検出器の水位検出により前記電磁弁を開閉して前記温水
タンク内に所定水位の水を溜める温水洗浄便座において、基準の給水動作間隔に対して、
前記電磁弁による給水動作間隔が短い場合、制御部によって漏水と判定し、その判定出力
によって報知部を動作させて所定の報知を行なうことを特徴とする温水洗浄便座の漏水検
出装置。
【請求項２】
給水配管にて供給される水道水をシーズヒータによって加熱する温水タンクと、前記温
水タンク内の水位を検出する水位検出器と、前記給水配管を開閉して前記水道水の供給を
制御する電磁弁を備え、前記水位検出器の水位検出により前記電磁弁を開閉して前記温水
タンク内に給水して所定水位の水を溜める温水洗浄便座において、所定時間内における前
記給水の回数が所定回数以上のとき、制御部によって漏水と判定し、その判定出力によっ
て報知部を動作させて所定の報知を行なうことを特徴とする温水洗浄便座の漏水検出装置
。
【請求項３】
前記給水動作間隔を、前記水位検出器が上限水位を検出し再度上限水位を検出するまで
の時間、または前記水位検出器が下限水位を検出し再度下限水位を検出するまでの時間と
したことを特徴とする請求項１に記載の温水洗浄便座の漏水検出装置。
【発明の詳細な説明】
【技術分野】
【０００１】
本発明は、水道水配管に接続された導水管を通って供給される水道水が、温水タンクに
よって加熱され洗浄ノズルから噴出して、便座に着座した人の部位を洗浄する温水洗浄便
座に関し、特に、上水道水が温水タンクへ供給される配管からの漏水を検出する漏水検出
装置に関する。
【背景技術】
【０００２】
温水洗浄便座用の温水を溜めるためにヒータを内蔵した温水タンクを備え、この温水タ
ンクは、水道水が電磁弁と減圧弁を通って供給され、温水タンク内の温水を洗浄ノズルか
ら噴射して、肛門やビデ等の局部洗浄用として使用することは周知である。（例えば、特
許文献１参照）。
【先行技術文献】
【特許文献】
【０００３】
【特許文献１】特開２００１−９８６１５号公報
【発明の概要】
【発明が解決しようとする課題】
【０００４】
この特許文献１の形態では、おしり洗浄時またはビデ洗浄時には、電磁弁を開いて水道
水を温水タンク内へ供給することにより、温水タンクを通して掛かる水道水圧によって、
おしり洗浄ノズルまたはビデ洗浄ノズルを進出させ、先端のノズル口から温水を噴出する
。
【０００５】
温水タンク内の温水温度は、ヒータによる加熱量を制御するために、使用者が設定スイ
ッチによって略４０℃などの任意の温度に設定できるようになっている。長時間に亘り温
水洗浄座を使用しないときは、このように加温された温水の自然蒸発によって温水レベル
が低下する。これは、蒸発した蒸気が温水タンク内の上壁に付着し、また温水タンクに安
全のために設けた負圧弁を通して、温水タンク内に空気が流入する際に、温水タンク内の
蒸発した蒸気が外部へ排出されることによる。
【０００６】
温水タンク内の温水レベル（水位）は、温水レベルに応じて上下動するフロートスイッ
チによって検出し、減少して所定の下限レベルに達したとき、電磁弁を開いて水道水を温
水タンク内へ供給し、所定の上限レベルに達したとき電磁弁を閉じる制御になっている。
温水タンクや、電磁弁から温水タンクまでの配管からの漏水がない場合は、上記の蒸発に
よる温水レベルの自然低下であり、前記下限レベルに減少するまでは、長時間かかる。し
かし、温水タンクからの漏水があった場合や、電磁弁から温水タンクまでの配管から漏水
があった場合は、温水タンク内の温水レベル（水位）の低下速度は、前記自然低下におけ
る温水レベル（水位）の低下速度よりもかなり速くなり、頻繁に電磁弁がＯＮ／ＯＦＦす
るようになる。
【０００７】
このため、電磁弁の耐久性の低下も問題になると共に、頻繁に水道水が温水タンク内へ
供給されるため、温水温度が低下してヒータによる加熱時間も長くなり、省エネルギーの
点からも好ましくない状況となる。本発明では、このような点に鑑み、漏水を速やかに検
知して修理などの対処を促すようにすると共に、電磁弁の耐久性の低下防止及び省エネル
ギーの改善となる技術を提供するものである。
【課題を解決するための手段】
【０００８】
第１発明は、給水配管にて供給される水道水をシーズヒータによって加熱する温水タン
クと、前記温水タンク内の水位を検出する水位検出器と、前記給水配管を開閉して前記水
道水の供給を制御する電磁弁を備え、前記水位検出器の水位検出により前記電磁弁を開閉
して前記温水タンク内に所定水位の水を溜める温水洗浄便座において、基準の給水動作間
隔に対して、前記電磁弁による給水動作間隔が短い場合、制御部によって漏水と判定し、
その判定出力によって報知部を動作させて所定の報知を行なうことを特徴とする。
【０００９】
第２発明は、給水配管にて供給される水道水をシーズヒータによって加熱する温水タン
クと、前記温水タンク内の水位を検出する水位検出器と、前記給水配管を開閉して前記水
道水の供給を制御する電磁弁を備え、前記水位検出器の水位検出により前記電磁弁を開閉
して前記温水タンク内に給水して所定水位の水を溜める温水洗浄便座において、所定時間
内における前記給水の回数が所定回数以上のとき、制御部によって漏水と判定し、その判
定出力によって報知部を動作させて所定の報知を行なうことを特徴とする。
【００１０】
第３発明は、第１発明において、前記給水動作間隔を、前記水位検出器が上限水位を検
出し再度上限水位を検出するまでの時間、または前記水位検出器が下限水位を検出し再度
下限水位を検出するまでの時間としたことを特徴とする。
【発明の効果】
【００１１】
本発明によって、温水タンクからの漏水があった場合や、電磁弁から温水タンクまでの
配管から漏水があった場合は、温水タンク内の温水レベル（水位）の低下速度は、自然低
下における温水レベル（水位）の低下速度よりもかなり速くなるため、電磁弁による給水
動作間隔による検知、温水レベルの低下速度による検知、所定時間内における電磁弁によ
る給水動作回数による検知によって、漏水検知をすることができ、速やかに漏水対処をす
ることができる。なお、電磁弁が給水動作する給水動作間隔を、水位検出器が上限水位を
検出する時間間隔、または水位検出器が下限水位を検出する時間間隔とすることにより、
漏水検出がし易くなる。
【図面の簡単な説明】
【００１２】
【図１】本発明に係る温水洗浄便座を便器に取り付けた斜視図である。
【図２】図１の温水洗浄便座の本体ケース及び操作部の内部構成を一部破断により示す平面図である。
【図３】本発明に係る温水洗浄便座の制御回路図である。
【図４】本発明に係るノズルユニットＮＵと洗浄水切り替えユニットＳＵを組み合わせた状態の側面斜視図である。
【図５】本発明に係るノズルユニットＮＵと洗浄水切り替えユニットＳＵを組み合わせた状態の後方斜視図である。
【図６】本発明に係る洗浄水切り替えユニットを温水タンクの下面に取り付けた状態を上下方向で切断しその一部を拡大で示す断面図である。
【図７】本発明に係るノズルユニットＮＵを上下方向で切断しその一部を拡大で示す断面図である。
【図８】本発明に係る洗浄水切り替えユニットＳＵの分解斜視図である。
【図９】本発明に係る水位検出器であるフロートスイッチの構成図である。
【図１０】本発明に係る漏水検知を説明するタイムチャートである。
【発明を実施するための形態】
【００１３】
［実施例１］
本発明の実施例を先ず図１に基づき説明すると、１は洋式便器２の上に着脱可能に設置
された温水洗浄便座であり、本体ケース３に便座４の後部とこの便座４の上面を覆う便蓋
５の後部が軸支持され、便座４と便蓋５を上下方向に開閉自在に枢支している。本体ケー
ス３の一方の側面には給水管６を突設し、この給水管６にフレキシブルな配管ホース７を
接続していると共に、この配管ホース７は、分岐水栓８を介して上水を供給する市水等の
上水道管９に接続している。
【００１４】
本体ケース３は、その一方の側面に、前方が上記便座４の側面に沿って延設された操作
部１０を一体的に突設しており、操作部１０は本体ケース３の一部分を構成する。操作部
１０は、この操作部１０の上面から操作される後述の複数のスイッチやこのスイッチによ
る動作状態を表示する表示部となるＬＥＤを収納している。図示のものは操作部１０が便
座４の側部に配置された構成であるが、操作をリモートコントロール方式とする場合は、
操作部１０の部分がリモートコントローラとなる。
【００１５】
図示の構成において、本体ケース３内には、図２に示す様に、主とした機能部品として
、便座４に着座した人の肛門やビデ等の被洗浄局部を洗浄するための温水をつくるための
温水タンク１３と、この温水タンク１３と給水管６とを接続する給水配管１４と、給水配
管１４に接続した電磁弁１１と、給水配管１４に接続した減圧弁１２、温水洗浄ユニット
６０と、脱臭機構１６と、電気制御回路を取り付けた基板１７とを収納配置している。な
お、本体ケース３内には、便座４と便蓋５を上下方向に開閉する電動機１９、２０が収容
されている。温水タンク１３には、電磁弁１１が開くことにより、配管ホース７及び給水
配管１４を通って上水道管９の上水が、温水タンク１３内の底部に供給される。温水タン
ク１３に供給された水は、温水タンク１３内に配置した温水ヒータ４２で温水となる。
【００１６】
脱臭機構１６は、脱臭用触媒２４と、脱臭ファン２５と、ファンケース２６にて主に構
成し、このファンケース２６は、上記洋式便器２のボウル２Ａに対向して開口した第１吸
気孔２７と、本体ケース３内に開口した第２吸気孔２８と、これらの吸気孔から吸引した
空気が上記脱臭用触媒２４を通過した後、本体ケース３の外に排出する排気孔２９とを設
けている。
【００１７】
便座４は、図１に一部断面で示すように、便座４の裏側にアルミニウム箔４Ａを介して
絶縁被覆された便座ヒータ４１が取り付けられており、便座ヒータ４１の発熱によって便
座４が加温される。
【００１８】
操作部１０は、図２に一部拡大で示すように、その中に絶縁性の操作基板１８を水平状
態に収納し、この操作基板１８には、各種の操作スイッチと、ＬＥＤ表示部が取り付けら
れている。この操作スイッチとして、おしり（肛門）洗浄開始スイッチ４５、ビデ洗浄開
始スイッチ４６、洗浄停止スイッチ４４、洗浄水の水勢増減スイッチ４７Ｐと４７Ｑ、温
水タンク１３の温水温度調節スイッチ４８、便座ヒータ４１による便座２の温度を可変す
る便座温度調節スイッチ４９等が設けられ、また、ＬＥＤ表示部として、水勢増減スイッ
チ４７Ｐと４７Ｑに対応して水勢の強中弱の状態を３段階で表示するＬＥＤ４７Ｌ、温水
温度調節スイッチ４８に対応して温水温度を低中高の３段階で表示するＬＥＤ４８Ｌ、便
座温度調節スイッチ４９に対応して便座温度を低中高の３段階で表示するＬＥＤ４９Ｌが
設けられている。なお、便座４と便蓋５を上下方向に開閉する電動機１９、２０をＯＮ・
ＯＦＦするスイッチ２３、４３とその押圧部分を前記操作スイッチ同様に操作部１０に設
けている。
【００１９】
操作部１０の上面開口は、前記の各スイッチ及びＬＥＤの対応部分に貫通孔を形成した
カバー板で覆われており、このカバー板の上面は、前記貫通孔を塞ぐようにこれらスイッ
チに対応する部分が可撓性を有し、且つ前記ＬＥＤに対応する部分が透光性を有するフィ
ルム１０Ｆで覆われている。このため、これらスイッチ４４、４５、４６、４７Ｐと４７
Ｑ、４８、４９に対応するフィルム１０Ｆの押圧部分４４Ａ、４５Ａ、４６Ａ、４７Ａと
４７Ｂ、４８Ａ、４９Ａを押すことによって、対応するスイッチが作動する。電動機１９
、２０をＯＮ・ＯＦＦするスイッチ２３、４３の部分も同様である。
【００２０】
温水タンク１３内の水を加熱するための温水ヒータ４２として、通電にて発熱するシー
ズヒータ４２が温水タンク１３内の底部に配設されている。温水タンク１３の上壁には、
温水タンク１３内の異常温度を検知してシーズヒータ４２への通電回路を遮断する温度検
知部５０と、温水タンク１３内の温水レベル（洗浄水レベル）を検知することにより電磁
弁１１を開閉制御して、温水タンク１３内の温水レベル（洗浄水レベル）を所定レベルに
制御する水位検出器５１と、温水タンク１３内の圧力が外気圧よりも低くなったとき温水
タンク１３内と外気を連通する負圧弁５２を備えた気圧調整用パイプ５３の取り付け部５
４が設けられている。実施例では、水位検出器５１をフロートスイッチ５１で示している
。温水タンク１３内は、負圧弁５２の作用によって外気と連通する以外は、外気と連通し
ないように気密構造である。また、温水タンク１３内の温水温度は、温水モードにおいて
温水温度調節スイッチ４８によって使用者が任意の設定温度に設定できる。温水モードに
おいてシーズヒータ４２への通電を制御して、温水タンク１３内の温水温度を前記設定温
度に維持するため、温水タンク１３内の温水温度を検知するサーミスタ５５が設けられて
いる。
【００２１】
温水洗浄ユニット６０は、おしり洗浄ノズル６１と、ビデ洗浄ノズル６２と、おしり洗
浄ノズル６１を進出・退避動作を行なうように収容したおしり洗浄ノズル用ノズルケース
６３と、ビデ洗浄ノズル６２を進出・退避動作を行なうように収容したビデ洗浄ノズル用
ノズルケース６４とを備えたノズルユニットＮＵと、温水タンク１３から供給される温水
をおしり洗浄ノズル６１とビデ洗浄ノズル６２のいずれに供給するかを切り替える切り替
え弁６６を備えた洗浄水切り替えユニットＳＵとによって構成されている。
【００２２】
ノズルユニットＮＵは、具体的には、おしり洗浄ノズル６１の真下にビデ洗浄ノズル６
２が略平行線上に位置するように、それぞれ上下の平行配置のおしり洗浄ノズル用ノズル
ケース６３とビデ洗浄ノズル用ノズルケース６４に収容され、後述のように、温水タンク
１３に掛かる水道水圧によって進出動作し、先端部のノズル口６１Ａ、６２Ａから温水を
噴出する構成である。おしり洗浄ノズル用ノズルケース６３とビデ洗浄ノズル用ノズルケ
ース６４は、合成樹脂で一体形成されてノズルケース体ＮＣを構成している。
【００２３】
おしり洗浄ノズル６１は、合成樹脂製で円筒形等所定形状の筒状をなし、洗浄水である
温水が通る内部通路６１Ｔは、先端部のノズル口６１Ａへ向けて次第に洗浄水の圧力が高
くなるように、先端に行くにしたがって次第に断面積Ｓ１が小さくなるように形成されて
いる。ビデ洗浄ノズル６２は、おしり洗浄ノズル６１と同様に、合成樹脂製で円筒形等所
定形状の筒状をなし、洗浄水である温水が通る内部通路６２Ｔは、先端部のノズル口６２
Ａへ向けて次第に洗浄水の圧力が高くなるように、先端に行くにしたがって次第に断面積
Ｓ２が小さくなるように形成されている。おしり洗浄ノズル６１と、ビデ洗浄ノズル６２
と、おしり洗浄ノズル用ノズルケース６３と、ビデ洗浄ノズル用ノズルケース６４とを共
通形態にすることによって、ノズル先端部を除いて共通の筒状ノズル形態を採用できるた
め、全体として部品の共通化と、組み立ての容易さ、更にコストダウン化を図ることがで
きるものとなる。
【００２４】
ノズルユニットＮＵの後端部には、洗浄水切り替えユニットＳＵから供給される温水が
、おしり洗浄ノズル用ノズルケース６３へ導入される温水導入部６３Ｂと、ビデ洗浄ノズ
ル用ノズルケース６４へ導入される温水導入部６４Ｂを形成している。具体的には、温水
導入部６３Ｂと温水導入部６４Ｂとを形成した導入部カバー８６と、この導入部カバー８
６を覆うように取り付け部材８７が、ネジ８８にてノズルケース体ＮＣの後端に取り付け
られている。これによって、おしり洗浄ノズル用ノズルケース６３の後端の入口開口が、
温水導入部６３Ｂと連通状態となり、また、ビデ洗浄ノズル用ノズルケース６４の後端の
入口開口が、温水導入部６４Ｂと連通状態となる。
【００２５】
取り付け部材８７は、ノズルユニットＮＵを本体ケース３内の固定基板（図示せず）に
ネジ８９によって固定するために、取り付け部８７Ａを形成したものであるが、ノズルユ
ニットＮＵを本体ケース３内の固定基板にネジ８９によって固定する部分を導入部カバー
８６に形成できれば、取り付け部材８７は不要である。
【００２６】
上下配置のおしり洗浄ノズル６１とビデ洗浄ノズル６２は、洋式便器２のボウル２Ａ内
において、共に前方斜め下方に向けて進出し退避する向きの配置であり、本体ケース３に
便座４と便蓋５を取り付けた状態で、おしり洗浄ノズル６１とビデ洗浄ノズル６２は、便
座４の左右間の中心線となる前後方向中心線上の配置となる。このため、便座４と便蓋５
を取り付けた本体ケース３を洋式便器２の上の所定位置にセットした状態では、便座４に
着座した人の肛門やビデ等の被洗浄局部に対して、真下または真下後方部からの温水噴出
が得られる。
【００２７】
このため、上記水道水圧が掛からない状態においては、おしり洗浄ノズル６１はコイル
バネ６５Ａによって、おしり洗浄ノズル用ノズルケース６３内に退避した状態に保たれ、
上記水道水圧が掛かったときは、上記水道水圧をおしり洗浄ノズル６１の後端に形成した
環状フランジの水受け部６１Ｂが受けて、コイルバネ６５Ａを圧縮しつつおしり洗浄ノズ
ル６１が進出し、水受け部６１Ｂに取り付けたパッキン６１Ｐが洗浄ノズル用ノズルケー
ス６３内の停止部６３Ａに当接して、その進出が停止し、この位置が所定の進出位置とな
る。
【００２８】
一方、ビデ洗浄ノズル６２については、上記水道水圧が掛からない状態においては、ビ
デ洗浄ノズル６２はコイルバネ６５Ｂによってビデ洗浄ノズル用ノズルケース６４内に退
避した状態に保たれ、上記水道水圧が掛かったときは、上記水道水圧をビデ洗浄ノズル６
２の後端に形成した環状フランジの水受け部６２Ｂが受けて、コイルバネ６５Ｂを圧縮し
つつビデ洗浄ノズル６２が進出し、水受け部６２Ｂに取り付けたパッキン６２Ｐがビデ洗
浄ノズル用ノズルケース６４内の停止部６４Ａに当接して、その進出が停止し、この位置
が所定の進出位置となる。
【００２９】
洗浄水切り替えユニットＳＵは、切り替え弁６６を回動駆動する電動機６７と、切り替
え弁６６を収容する弁室６９を形成した合成樹脂製の弁室部材７０と、切り替え弁６６に
よって切り替えられるおしり洗浄水通路７１とビデ洗浄水通路７２を形成した合成樹脂製
の切り替え通路部材７３とが、ネジ７４によって結合されて一体化された構成である。こ
れによって、弁室６９が水密状態に保たれる。
【００３０】
温水タンク１３内の温水を導出するために、温水タンク１３内に略垂直に立設した温水
導出パイプ１５を設けている。温水導出パイプ１５の上端開口１５Ａ（温水タンク１３の
温水流出口）は、温水タンク１３内の上壁との間に若干の間隔を存して位置している。図
示のものは、温水タンク１３内の上壁が若干上方へ膨らんだ部分で、この上壁に近接する
位置に上端開口１５Ａが位置している。温水タンク１３には、電磁弁１１が開くことによ
り、配管ホース７及び給水配管１４を通って上水道管９の上水が、温水タンク１３内の底
部に供給され、温水ヒータ４２で加熱されて温水となる。温水タンク１３内の温水レベル
（洗浄水レベル）は、フロートスイッチ５１の検出に基づき電磁弁１１を開閉制御して、
温水タンク１３内の温水レベル（洗浄水レベル）を所定レベルに制御する。この所定レベ
ルは、温水導出パイプ１５の上端開口１５Ａ（温水タンク１３の温水流出口）よりも若干
低いレベルである。
【００３１】
後述のように、洗浄モードになると、温水タンク１３内に上水道管９の上水を供給しつ
つ温水タンク１３内の温水をおしり洗浄ノズル６１またはビデ洗浄ノズル６２から噴出す
る。この場合、温水になっていない上水がおしり洗浄ノズル６１またはビデ洗浄ノズル６
２から噴出しないようにするために、温水導出パイプ１５が立設されている。
【００３２】
切り替え弁６６は、水平軸上で正転・逆転の回動動作を行うように、電動機６７の駆動
軸６８に支持されて弁室６９に収容されている。弁室部材７０は、その上壁に形成した温
水導入口６９Ｂに、温水導出パイプ１５の下端の温水導出口が接続され、温水導出パイプ
１５にて流下する温水が、温水導入口６９Ｂから弁室６９へ流入する。
【００３３】
電動機６７の駆動軸６８は、電動機６７の回転子から延びた軸６８Ａのみで形成しても
よいが、電動機６７の汎用性から、電動機６７の駆動軸６８は、電動機６７の回転子から
延びた軸６８Ａと、これに嵌め合わせて一体化した合成樹脂製の補助軸６８Ｂとで構成し
ている。図６に示すように、電動機６７の駆動軸６８は、温水が漏れないようにシールパ
ッキン７６によってシール状態で切り替え通路部材７３を貫通し、その先端に切り替え弁
６６を取り付けている。電動機６７は、後述の制御回路３０のパルス出力によってステッ
ピング動作をするものであり、ステッピングモータとも称する。
【００３４】
組み立て及び修理交換の容易さを考慮して、切り替え弁６６は、電動機６７の駆動軸６
８の先端に、図６において左側から（図８においては右側から）嵌め合わせで取り付けら
れている。切り替え弁６６によって切り替えられる温水の流れが、切り替え弁６６に貫通
形成した弁通路６６Ａがおしり洗浄水通路７１と連通した状態と、弁通路６６Ａがビデ洗
浄水通路７２と連通した状態へ切り替えられるため、切り替え弁６６が切り替え通路部材
７３へ押し圧保持される必要がある。このため、切り替え弁６６が回動可能であってその
支持が安定化するために、切り替え弁６６を駆動軸６８側に向けてコイルバネ７９の押し
圧にて保持する構成を採用している。具体的には、切り替え弁６６の駆動軸６８とは反対
側は、弁室６９の側壁（図６において弁室部材７０の左壁）から駆動軸６８方向に突出す
る支持軸７７と、切り替え弁６６から突出する支持軸７８とに緩く嵌められたコイルバネ
７９によって、切り替え弁６６を駆動軸６８側に向けて押し圧にて保持しており、電動機
６７による正転・逆転の回動動作が円滑に行なわれる構成である。
【００３５】
洗浄水切り替えユニットＳＵは、上記のように、電動機６７と、弁室部材７０と、切り
替え通路部材７３とが、ネジ７４によって結合されて一体化された構成である。この一体
化された状態で、洗浄水切り替えユニットＳＵは、温水タンク１３の底面部にネジ８０に
よって固定し、この状態で、温水導出パイプ１５の下端が弁室６９の温水導入口６９Ｂに
連通接続される。この連通接続部からの温水防止のために、パッキン８１が設けられてい
る。
【００３６】
また、この一体化によって、弁室部材７０と切り替え通路部材７３との接合部から温水
が漏洩しないようにするために、この接合部がゴム製のシールパッキン８２によってシー
ルされている。また、切り替え弁６６によって温水の流れが、おしり洗浄水通路７１へ切
り替えられた状態で、ビデ洗浄水通路７２へ温水が入り込まないようにし、また、温水の
流れが、ビデ洗浄水通路７２へ切り替えられた状態で、おしり洗浄水通路７１へ温水が入
り込まないようにするために、おしり洗浄水通路７１とビデ洗浄水通路７２の入口周縁に
、ゴム製のシールパッキン８３Ａ、８３Ｂが取り付けられている。これによって、切り替
え弁６６は、コイルバネ７９によって切り替え通路部材７３へ向けて押されるとき、切り
替え弁６６の一方の面がシールパッキン８３Ａ、８３Ｂに圧接され、この圧接状態におい
て、切り替え弁６６は、温水の流れをおしり洗浄水通路７１とビデ洗浄水通路７２とに切
り替え回動する。
【００３７】
なお、切り替え弁６６の一方の面がシールパッキン８３Ａ、８３Ｂに圧接状態において
、切り替え弁６６が、温水の流れをおしり洗浄水通路７１とビデ洗浄水通路７２とに切り
替え回動する動作を安定化のために、シールパッキン８３Ａ、８３Ｂと同一平面をなすよ
うに、切り替え通路部材７３の凹部８４Ａ、８４Ｂにそれぞれゴム製の当接部材８５Ａ、
８５Ｂを嵌め込んでいる。
【００３８】
温水洗浄ユニット６０は、ノズルユニットＮＵと洗浄水切り替えユニットＳＵの温水通
路の接続のために、おしり洗浄水通路７１は、その出口部７１Ａが可撓性パイプ７５Ａに
よって温水導入部６３Ｂへ連通接続されている。また、ビデ洗浄水通路７２は、その出口
部７２Ａが可撓性パイプ７５Ｂによって温水導入部６４Ｂへ連通接続されている。洗浄水
切り替えユニットＳＵは、上記のように、ネジ８０によって温水タンク１３の底面部に固
定され、温水タンク１３は本体ケース３内の固定基板にネジ等によって固定される。また
、ノズルユニットＮＵは、本体ケース３内の固定基板にネジ８９によって固定され、おし
り洗浄ノズル６１とビデ洗浄ノズル６２が、便座４の左右間の中心線となる前後方向中心
線上の所定位置に保たれる。このようにして、温水洗浄ユニット６０が所定位置にセット
される。
【００３９】
図３は、制御手段となる制御回路３０の構成を示すもので、商用電源３１にマイクロコ
ンピュータを中心に構成した制御部３２を接続し、かつこの制御部３２の入力回路には上
記操作基板１８を接続し、更に制御部３２の入力回路には、上記便座４への着座を検出す
る着座スイッチ３３と、便座４の温度を検出する便座用温度センサ３５と、フロートスイ
ッチ５１と、温水タンク１３内の温水温度を検知するサーミスタ５５が接続されている。
着座スイッチ３３は、便座４に人が着座したときの重量で便座４が下降することにより作
動するスイッチや、便座４に着座した人を赤外線で検出する赤外線スイッチなどがある。
【００４０】
制御部３２は、タイマ、メモリ等を含み、所定のプログラムに従って、所定の動作を行
なうマイクロコンピュータ制御方式である。商用電源３１には、上記制御部３２の出力に
て各々動作するスイッチング素子２１、２２、３６、３７、３８、３９、４０を介して、
それぞれ便座４の開閉電動機１９、便蓋５の開閉電動機２０、便座ヒータ４１、温水タン
ク１３内の水を加熱する温水ヒータ４２、切り替え弁６６を駆動する電動機６７（洗浄モ
ータ６７ともいう）、脱臭ファン２５、及び電磁弁１１を接続している。また、後述のよ
うに、制御部３２は、漏水判定によって所定の報知を行なう報知部ＳＳを接続している。
報知部ＳＳは、単なるＬＥＤの点灯または点滅による光報知でもよいが、漏水という事態
を考慮すれば、ブザーや音声による発音による報知が望ましい。また、この光報知と発音
による報知の併用でもよい。
【００４１】
待機状態において、通常、接点が閉じている温度検知部５０は、温水タンク１３内の異
常温度を検知したとき開いて、温水ヒータ４２の通電を遮断する。また、温水タンク１３
内の水は、サーミスタ５５の温度感知によって、制御部３２が動作し、スイッチング素子
３７が温水ヒータ４２の通電のＯＮ・ＯＦＦ動作を行い、温水温度が所定温度範囲に維持
される。温水タンク１３内の温水レベル（洗浄水レベル）は、フロートスイッチ５１の検
出によってスイッチング素子４０が電磁弁１１を開閉制御して、温水タンク１３内の温水
レベル（洗浄水レベル）を所定レベルに制御する。この所定レベルは、温水導出パイプ１
５の上端開口１５Ａ（温水タンク１３の温水流出口）よりも若干低いレベルである。
【００４２】
また、待機状態において、切り替え弁６６は、切り替え弁６６の弁通路６６Ａ以外の面
が、おしり洗浄水通路７１とビデ洗浄水通路７２の入口周縁のシールパッキン８３Ａ、８
３Ｂに当接しており、これによって、切り替え弁６６は、温水タンク１３内がおしり洗浄
水通路７１とビデ洗浄水通路７２のいずれとも連通しないように、おしり洗浄水通路７１
とビデ洗浄水通路７２の入口を塞ぎ、弁通路６６Ａがおしり洗浄水通路７１とビデ洗浄水
通路７２のいずれとも連通せず遮断状態である。
【００４３】
このような待機状態において、制御部３２は、スイッチ４３のＯＮにて電動機２０にて
便蓋５が上方向に開く。そして、着座スイッチ３３により便座４への人体の着座を検出す
ると、スイッチング素子３９を通電して脱臭ファン２５を回転する。この着座状態におい
て、おしり（肛門）洗浄開始スイッチ４５が押されておしり（肛門）洗浄指令が発せられ
、またはビデ洗浄開始スイッチ４６が押されてビデ洗浄指令が発せられると、制御部３２
はスイッチング素子３８、４０を適宜作動して、洗浄モータ６７の作動にて切り替え弁６
６を回動駆動すると共に電磁弁１１が開く。電磁弁１１が開くことにより、水道管９から
給水配管１４を通って、上水の水圧が温水タンク１３内に掛かり、温水タンク１３内底部
に上水が供給されつつ、温水タンク１３内の温水が温水導出パイプ１５の上端開口１５Ａ
（温水タンク１３からの温水流出口）から温水導出パイプ１５へ流出し、弁室６９へ供給
される。
【００４４】
この場合、おしり（肛門）洗浄開始スイッチ４５が押されている場合は、洗浄モータ６
７の作動にて切り替え弁６６がシールパッキン８３Ａ、８３Ｂと当接部材８５Ａ、８５Ｂ
に当接した状態で回動し、切り替え弁６６の弁通路６６Ａがおしり洗浄水通路７１と連通
した状態で洗浄モータ６７が停止する。これによって、上水の水圧によって弁室６９へ供
給された温水は、弁通路６６Ａとおしり洗浄水通路７１を通り、その出口部７１Ａから可
撓性パイプ７５Ａを通って温水導入部６３Ｂへ流入する。温水導入部６３Ｂへ流入した温
水の水圧は、コイルバネ６５Ａによって退避位置（図７に示す位置）にあるおしり洗浄ノ
ズル６１の水受け部６１Ｂに作用して、コイルバネ６５Ａを圧縮しつつおしり洗浄ノズル
６１を進出させ、パッキン６１Ｐが停止部６３Ａに当接して、その進出が停止し、この進
出位置で、洗浄水である温水は、水圧受け部６１Ｂの中心孔を通過しておしり洗浄ノズル
６１の内部通路６１Ｔに流入し、先端のノズル口６１Ａから噴出する温水によって、おし
り（肛門）が洗浄される。
【００４５】
そして、洗浄停止スイッチ４４が押されてＯＮすることにより、制御部３２が動作し、
スイッチング素子３８、４０が動作して、洗浄モータ６７の作動にて切り替え弁６６を待
機位置へ戻すと共に、電磁弁１１を閉じる。電磁弁１１が閉じることにより、上水の水圧
が温水タンク１３内に掛からなくなり、ノズル口６１Ａからの温水の噴出が停止すると共
に、コイルバネ６５Ａによっておしり洗浄ノズル６１がおしり洗浄ノズル用ノズルケース
６３内に退避した状態（図７に示す位置）に復帰する。
【００４６】
また、上記において、おしり（肛門）洗浄開始スイッチ４５ではなく、ビデ洗浄開始ス
イッチ４６が押されている場合は、洗浄モータ６７の作動にて切り替え弁６６がシールパ
ッキン８３Ａ、８３Ｂと当接部材８５Ａ、８５Ｂに当接した状態で回動し、切り替え弁６
６の弁通路６６Ａがビデ洗浄水通路７２と連通した状態で洗浄モータ６７が停止する。こ
れによって、上水の水圧によって弁室６９へ供給された温水は、弁通路６６Ａとビデ洗浄
水通路７２を通り、その出口部７２Ａから可撓性パイプ７５Ｂを通って温水導入部６４Ｂ
へ流入する。温水導入部６４Ｂへ流入した温水の水圧は、コイルバネ６５Ｂによって退避
位置にあるビデ洗浄ノズル６２の水受け部６２Ｂに作用して、コイルバネ６５Ｂを圧縮し
つつビデ洗浄ノズル６２を進出させ、パッキン６２Ｐが停止部６４Ａに当接して、その進
出が停止し（図７に示す位置）、この進出位置で、洗浄水である温水は、水圧受け部６２
Ｂの中心孔を通過してビデ洗浄ノズル６２の内部通路６２Ｔに流入し、先端のノズル口６
２Ａから噴出する温水によって、ビデが洗浄される。
【００４７】
そして、洗浄停止スイッチ４４が押されてＯＮすることにより、制御部３２が動作し、
スイッチング素子３８、４０が動作して、洗浄モータ６７の作動にて切り替え弁６６を待
機位置へ戻すと共に、電磁弁１１を閉じる。電磁弁１１が閉じることにより、上水の水圧
が温水タンク１３内に掛からなくなり、ノズル口６２Ａからの温水の噴出が停止すると共
に、コイルバネ６５Ｂによってビデ洗浄ノズル６２がビデ洗浄ノズル用ノズルケース６４
内に退避した状態（上記おしり洗浄ノズル６１の退避した状態と同様の状態）に復帰する
。
【００４８】
図９には、水位検出器５１の一つであるフロートスイッチ５１の構成図である。フロー
トスイッチ５１は、温水タンク１３内に上下に延びたガイド棒５１Ｃと、ガイド棒５１Ｃ
の上限ストッパ５１Ｃ１と下限ストッパ５１Ｃ２間を温水タンク１３内の水位に応じて上
下動するようにガイド棒５１Ｃに支持したフロート５１Ａと、ガイド棒５１Ｃの上部位置
に設けたリードスイッチ５１Ｂで構成され、フロート５１Ａが温水タンク１３内の水位に
応じて上下動することにより、フロート５１Ａに設けた磁石Ｍｇがリードスイッチ５１Ｂ
をＯＮ−ＯＦＦ作動する構成である。フロートスイッチ５１のＯＮ（またはＯＦＦ）にて
、即ち、フロート５１Ａの上限水位位置にて磁石Ｍｇによってリードスイッチ５１ＢがＯ
Ｎ（またはＯＦＦ）することによって、給水配管１４に取り付けた電磁弁１１を閉じ、フ
ロート５１Ａが下降して磁石Ｍｇがリードスイッチ５１Ｂから離れたとき、電磁弁１１を
開くように制御して、温水タンク１３内に所定量の水が供給されるようにする。
【００４９】
温水洗浄便座１を洋式便器２に設置した当初から温水タンク１３内の水を加熱する初期
加熱と待機状態について説明する。通常状態の動作として、温水洗浄便座１を洋式便器２
に設置した当初は、温水タンク１３内は空である。また、フロート５１Ａは降下して磁石
Ｍｇはリードスイッチ５１Ｂから離れた状態であり、ＯＦＦ（またはＯＮ）の状態である
。この状態で温水洗浄便座１側の電源プラグを電源コンセントに差し込むことによって、
制御部３２の動作によって、スイッチング素子４０が給水配管１４に取り付けた電磁弁１
１に通電して給水配管１４を開き、水道水が温水タンク１３内に供給される。そして、温
水タンク１３内の水位の上昇によってフロート５１Ａが上昇し、磁石Ｍｇによってリード
スイッチ５１ＢがＯＮ（またはＯＦＦ）したとき、制御部３２の動作によって、スイッチ
ング素子４０が電磁弁１１をＯＦＦして給水配管１４を閉じ、温水タンク１３内への水道
水の供給が停止する。このようにフロート５１Ａが上昇して磁石Ｍｇによってリードスイ
ッチ５１ＢがＯＮ（またはＯＦＦ）したことにより、制御部３２の動作によって、スイッ
チング素子３７がシーズヒータ４２へ通電し、温水タンク１３内の水が加熱される。
【００５０】
この加熱によって上昇した水温が上限設定温度Ｔ３になれば、温水タンク１３内の温水
温度を検知するサーミスタ５５の検知に基づき制御部３２の動作によって、シーズヒータ
４２の通電回路をＯＦＦする。おしり洗浄ノズル６１またはビデ洗浄ノズル６２による洗
浄がない場合は、自然による温度低下によって水温が下限設定温度ｔ２になれば、サーミ
スタ５５の検知に基づき制御部３２が動作してスイッチング素子３７によって、シーズヒ
ータ４２の通電回路をＯＮし、シーズヒータ４２に通電されて発熱し、温水タンク１３内
の水を加熱する。この加熱によって上昇した水温が上限設定温度ｔ３になれば、サーミス
タ５５の検知に基づき制御部３２の動作によって、スイッチング素子３７がシーズヒータ
４２の通電回路をＯＦＦする。このようなサイクル動作によって、温水タンク１３内の水
温が所定の温度ｔｓ℃の温水に保たれる。
【００５１】
おしり洗浄ノズル６１またはビデ洗浄ノズル６２による洗浄がない場合、即ち、洗浄待
機状態では、温水タンク１３からの漏水や、電磁弁１１から温水タンク１３までの給水配
管１４からの漏水がない場合には、蒸発による温水レベルの自然低下であり、温水タンク
１３内の温水レベルのこの低下に伴ってフロート５１Ａは降下し、所定の下降時点で磁石
Ｍｇはリードスイッチ５１Ｂから離れた状態となり、リードスイッチ５１ＢがＯＦＦ（ま
たはＯＮ）の状態となる。このときの温水レベルが、下限レベルである。この下限レベル
に達したことにより、制御部３２の動作によって、スイッチング素子４０が電磁弁１１を
通電（ＯＮ）して給水配管１４を開き、水道水が温水タンク１３内に供給される。この供
給による温水レベルの上昇に伴って、フロート５１Ａが上昇し、所定の上昇時点で磁石Ｍ
ｇによってリードスイッチ５１ＢがＯＮ（またはＯＦＦ）したとき、制御部３２の動作に
よって、スイッチング素子４０が電磁弁１１を非通電（ＯＦＦ）して給水配管１４を閉じ
、温水タンク１３内への水道水の供給が停止する。このときの温水レベルが、上限レベル
である。なお、上限レベルと下限レベルとの水位差は、フロート５１Ａが上下動するとき
、リードスイッチ５１Ｂに磁石Ｍｇが作用する時点と作用しなくなる時点とによって定め
ることができる。
【００５２】
このように蒸発による温水レベルの自然低下の場合は、温水タンク１３内の温水のレベ
ルが上限レベルから下限レベルに減少するまで長時間かかる。しかし、温水タンク１３か
らの漏水があった場合や、電磁弁１１から温水タンク１３までの給水配管１４から漏水が
あった場合は、温水タンク１３内の温水レベル（水位）の低下速度は、自然低下における
温水レベル（水位）の低下速度よりもかなり速くなり、頻繁に電磁弁１１がＯＮ／ＯＦＦ
するようになる。
【００５３】
このため、電磁弁１１の耐久性の低下も問題になると共に、頻繁に水道水が温水タンク
１３内へ供給されるため、温水温度が低下してシーズヒータ４２による加熱時間も長くな
り、省エネルギーの点からも好ましくない状況となる。本発明では、このような点に鑑み
、漏水を速やかに検知するために、温水レベルの低下が、この自然低下によるものか、漏
水によるものかを区別した検知を行なう。この検知方式としては、電磁弁１１による給水
動作間隔による検知、温水レベルの低下速度による検知、所定時間内における電磁弁１１
による給水動作回数による検知などによって、漏水検知をすることができる。
【００５４】
ここで、図１０（イ）（ロ）に示すように、時刻ｔ０時点で電磁弁１１が開き、給水さ
れて温水タンク１３内の温水のレベルが上限レベルに到達して、時刻ｔ１時点で電磁弁１
１が閉じる。この状態において、蒸発により温水レベルが自然低下する場合と、漏水があ
る場合とについて説明する。
【００５５】
先ず、温水レベルの低下速度による検知について説明する。図１０（イ）に示すように
、時刻ｔ１時点で電磁弁１１が閉じてから、おしり洗浄ノズル６１またはビデ洗浄ノズル
６２による洗浄がない場合、即ち、洗浄待機状態において、蒸発により温水レベルが自然
低下して時刻ｔ２で下限レベルに減少すれば、再び電磁弁１１が開き、給水されて温水タ
ンク１３内の温水のレベルが上限レベルに到達して、時刻ｔ３で電磁弁１１が閉じる。こ
の場合、時刻ｔ０から時刻ｔ２までの基準の給水動作間隔の時間を第１基準時間ＴＳ１と
し、時刻ｔ１から時刻ｔ３までの基準の給水動作間隔の時間を第２基準時間ＴＳ２とする
。この電磁弁１１が２度開く時間ＴｍとＴｎ１が略同じであれば、第１基準時間ＴＳ１と
第２基準時間ＴＳ２は、略同じである。
【００５６】
一方、漏水がある場合は、図１０（ロ）に示すように、電磁弁１１が時間Ｔｍで開いた
後、第１基準時間ＴＳ１または第２基準時間ＴＳ２が経過する前に、時刻ｔ４時点で電磁
弁１１が開き、温水タンク１３内の温水のレベルが上限レベルに到達して、時刻ｔ５時点
で電磁弁１１が閉じる。その後も漏水が継続して、時刻ｔ６で下限レベルに減少すれば、
時刻ｔ６時点で電磁弁１１が開き、温水タンク１３内の温水のレベルが上限レベルに到達
して、時刻ｔ７時点で電磁弁１１が閉じる。更に漏水が継続して、時刻ｔ８で下限レベル
に減少すれば、時刻ｔ８時点で電磁弁１１が開き、温水タンク１３内の温水のレベルが上
限レベルに到達して、時刻ｔ９時点で電磁弁１１が閉じる。この場合、時刻ｔ０から時刻
ｔ４までの時間を漏水時の第１動作時間ＴＬ１とし、時刻ｔ１から時刻ｔ５までの時間を
漏水時の第２動作時間ＴＬ２とする。この電磁弁１１が２度開く時間ＴｍとＴｎ２が略同
じであれば、第１動作時間ＴＬ１と第２動作時間ＴＬ２は、略同じである。
【００５７】
制御部３２は、その内部に備えた判定手段の判定動作によって、第１基準時間ＴＳ１に
達する前に第１動作時間ＴＬ１となれば、漏水と判定して、報知部ＳＳにて報知を行なう
。または、前記判定手段の判定によって、第２基準時間ＴＳ２に達する前に第２動作時間
ＴＬ２となれば、漏水と判定して、報知部ＳＳにて報知を行なう。これは、漏水がない場
合は、温水タンク１３内の温水のレベルが上限レベルから下限レベルに減少するまで長時
間かかるが、漏水がある場合は、温水タンク１３内の温水のレベルが上限レベルから下限
レベルに減少するまでの時間が短くなることを意味する。即ち、漏水がない場合の電磁弁
１１による基準の給水動作間隔ＴＳ１またはＴＳ２と、漏水がある場合の電磁弁１１によ
る給水動作間隔ＴＬ１またはＴＬ２との時間比較（時間判定）によって、漏水か否かの判
定が行なわれることとなる。
【００５８】
また、上記の時間判定で明らかなように、漏水がない場合は、温水タンク１３内の温水
のレベルが上限レベルから下限レベルに減少するまで長時間かかるが、漏水がある場合は
、温水タンク１３内の温水のレベルが上限レベルから下限レベルに減少するまでの時間が
短くなる。これは、漏水がない場合と漏水がある場合では、温水レベルの低下速度が異な
ることを意味しており、上記の時間判定によって、実質的に温水レベルの低下速度の相違
が判定でき、漏水か否かの判定が行なわれることとなる。
【００５９】
次に、所定時間内における電磁弁１１による給水動作回数により、漏水検知を行なう場
合について説明する。図１０（イ）（ロ）に示すように、漏水がある場合は、第１基準時
間ＴＳ１に達する前、または第２基準時間ＴＳ２に達する前に、電磁弁１１による給水動
作が複数回行なわれる。即ち、漏水がない場合は図１０（イ）のように、第１基準時間Ｔ
Ｓ１または第２基準時間ＴＳ２内で１回の給水動作であるが、漏水がある場合は図１０（
ロ）のように、第１基準時間ＴＳ１または第２基準時間ＴＳ２内で３回の給水動作が行な
われるため、漏水がない場合に比して漏水がある場合は、温水タンク１３への給水回数が
多くなり、両者の給水回数に相違が生じる。このため、制御部３２の判定手段により、所
定時間内（図１０の実施例の場合は、ＴＳ１またはＴＳ２）における給水回数が所定回数
以上（図１０の実施例の場合は２回以上）のとき、漏水と判定して、報知部ＳＳにて警報
するものである。
【００６０】
このように、温水タンク１３からの漏水や、電磁弁１１から温水タンク１３までの給水
配管１４からの漏水がない場合には、温水タンク１３内の温水レベルの低下は、蒸発によ
る自然低下である。このため、電磁弁１１による給水動作間隔による検知、温水レベルの
低下速度による検知、または所定時間内における電磁弁１１による給水動作回数による検
知によって、漏水を検知することにより、漏水が少ない段階での漏水検知ができることと
なり、漏水の検知精度が向上したものとなる。
【００６１】
実施例では、水位検出器５１がフロートスイッチ５１であり、電磁弁１１が給水動作し
再度給水動作するまでの時間ＴＳ１またはＴＬ１の測定方式として、フロートスイッチ５
１が上限水位を検出した後、再度上限水位を検出するまでの時間とすることができる。ま
た他の方式として、フロートスイッチ５１が下限水位を検出した後、再度下限水位を検出
するまでの時間ＴＳ２またはＴＬ２とすることができる。
【００６２】
具体的には、フロートスイッチ５１が上限水位または下限水位を検出したとき、リード
スイッチ５１ＢがＯＦＦまたはＯＮするため、この信号が制御部３２に入力され、リード
スイッチ５１ＢがＯＦＦした後、再度ＯＦＦするまでの時間を測定し、または、リードス
イッチ５１ＢがＯＮした後、再度ＯＮするまでの時間を測定し、この時間ＴＬ１またはＴ
Ｌ２と基準時間ＴＳ１またはＴＳ２との実質的比較によって、この時間ＴＬ１またはＴＬ
２が基準時間ＴＳ１またはＴＳ２よりも短いとき、漏水と判定され報知部ＳＳにて報知す
る。
【００６３】
なお、基準時間ＴＳ１またはＴＳ２は、予め温水洗浄便座１によって、漏水がない場合
の蒸発による自然低下のデータを複数収集し、その平均値を制御部３２のメモリに基準時
間データとして格納し、上記待機状態において、制御部３２にて漏水判定を行なえばよい
。
【００６４】
また、上記では、基準の給水動作間隔としての基準時間ＴＳ１またはＴＳ２は、漏水が
ない場合の蒸発による自然低下の場合の給水動作間隔の時間としたが、この給水動作間隔
よりも若干短く設定した任意の時間を基準の給水動作間隔としてもよい。この場合は、電
磁弁１１による給水動作間隔が、この設定した基準の給水動作間隔より短ければ、制御部
によって漏水と判定し、その判定出力によって報知部を動作させて所定の報知を行なうよ
うに制御される。また、所定時間内における電磁弁１１による給水動作回数による漏水判
定では、この所定時間を上記設定した基準の給水動作間隔の時間とし、この設定した基準
の給水動作間隔内の給水回数が所定回数以上のとき、漏水と判定して、報知部ＳＳにて警
報するようにすればよい。
【産業上の利用可能性】
【００６５】
上記実施例では、水位検出器５１をフロートスイッチで示したが、電極式であっても同
様の作用効果を達成できる。上記温水洗浄便座は、温水タンク内に供給される水道水圧に
よって、おしり洗浄ノズルまたはビデ洗浄ノズルから前記温水タンク内の温水を噴出する
温水洗浄便座であり、上記実施例では、おしり洗浄ノズルとビデ洗浄ノズルが、温水タン
クに掛かる水道水圧によって進出動作し先端部のノズル口から温水を噴出する形態である
が、これに替わって、おしり洗浄ノズルとビデ洗浄ノズルが、それぞれのモータによって
進出・退避動作を行なうモータ式にも適用することができる。この場合、コイルバネ６５
Ａ、６５Ｂは不要である。
【００６６】
このモータ式の場合も、洗浄水切り替えユニットＳＵの構成及び動作は上記と同様であ
り、洗浄モータ６７の作動にて切り替え弁６６を回動駆動すると共に電磁弁１１が開き、
おしり洗浄ノズル６１またはビデ洗浄ノズル６２から温水が噴出する通常動作に付いても
、上記と同様である。
【００６７】
このため、電磁弁１１が開くことにより温水タンク１３内に水道水が供給される温水洗
浄便座において、おしり洗浄ノズル６１とビデ洗浄ノズル６２が、それぞれのモータによ
って進出・退避動作を行なうモータ式の場合も含めて、本発明は、上記実施例に示した構
成に限定されず、種々の形態のものに適用できるものであり、本発明の技術範囲において
種々の形態を包含するものである。
【符号の説明】
【００６８】
１・・・・・温水洗浄便座
２・・・・・洋式便器
３・・・・・本体ケース
４・・・・・便座
５・・・・・便蓋
６・・・・・給水管
７・・・・・配管ホース
８・・・・・分岐水栓
９・・・・・上水道管
１０・・・・操作部
１１・・・・電磁弁
１２・・・・減圧弁
１３・・・・温水タンク
１４・・・・給水配管
１５・・・・温水導出パイプ
１６・・・・脱臭機構
１７・・・・基板
１８・・・・操作基板
１９・・・・電動機
２０・・・・電動機
２１・・・・スイッチング素子
２２・・・・スイッチング素子
２３・・・・電動機１９のＯＮ・ＯＦＦスイッチ
３０・・・・制御回路
３１・・・・商用電源
３２・・・・制御部
３３・・・・着座スイッチ
３５・・・・便座用温度センサ
３６・・・・スイッチング素子
３７・・・・スイッチング素子
３８・・・・スイッチング素子
３９・・・・スイッチング素子
４０・・・・スイッチング素子
４１・・・・便座ヒータ
４２・・・・温水ヒータ
４３・・・・電動機２０のＯＮ・ＯＦＦスイッチ
４４・・・・洗浄停止スイッチ
４５・・・・おしり（肛門）洗浄開始スイッチ
４６・・・・ビデ洗浄開始スイッチ
４７Ｐ、４７Ｑ・・・・洗浄水の水勢増減スイッチ
４８・・・・温水温度調節スイッチ
４９・・・・便座温度調節スイッチ
５０・・・・温度検知部
５１・・・・水位検出器（フロートスイッチ）
５１Ａ・・・フロート
５１Ｂ・・・リードスイッチ
５１Ｃ・・・ガイド棒
５１Ｃ１・・上限ストッパ
５１Ｃ２・・下限ストッパ
５２・・・・負圧弁
５３・・・・明るさ検知センサ
５４・・・・温水検知センサ
５５・・・・温水温度検知用サーミスタ
６０・・・・温水洗浄ユニット
６１・・・・おしり（肛門）洗浄ノズル
６１Ｂ・・・おしり（肛門）洗浄ノズルの水受け部
６１Ａ・・・おしり（肛門）洗浄ノズルのノズル口
６１Ｐ・・・パッキン
６２・・・・ビデ洗浄ノズル
６２Ａ・・・ビデ洗浄ノズルのノズル口
６２Ｂ・・・ビデ洗浄ノズルの水受け部
６２Ｐ・・・パッキン
６３・・・・おしり（肛門）洗浄ノズル用ケース
６３Ａ・・・停止部
６３Ｂ・・・温水導入部
６４・・・・ビデ洗浄ノズル用ケース
６４Ａ・・・停止部
６４Ｂ・・・温水導入部
６５Ａ・・・コイルバネ
６５Ｂ・・・コイルバネ
６６・・・・切り替え弁
６７・・・・電動機
６８・・・・電動機６７の駆動軸
６９・・・・弁室
６９Ｂ・・・温水導入口
７０・・・・弁室部材
７１・・・・おしり洗浄水通路
７１Ａ・・・おしり洗浄水通路の出口部
７２・・・・ビデ洗浄水通路
７２Ａ・・・ビデ洗浄水通路の出口部
７３・・・・切り替え通路部材
７４・・・・ネジ
７５Ａ・・・可撓性パイプ
７５Ｂ・・・可撓性パイプ
７７・・・・支持軸
７８・・・・支持軸
７９・・・・コイルバネ
８２・・・・シールパッキン
８３Ａ・・・シールパッキン
８３Ｂ・・・シールパッキン
８５Ａ・・・当接部材
８５Ｂ・・・当接部材
８７・・・・取り付け部材
９０・・・・空気抜き通路
９０Ａ・・・空気抜き通路の出口部
９１・・・・可撓性パイプ
ＮＣ・・・・ノズルケース体
ＮＵ・・・・ノズルユニット
ＳＳ・・・・報知部
ＳＵ・・・・洗浄水切り替えユニット
【図１】
2010203162.tif 000003
【図２】
2010203162.tif 000004
【図３】
2010203162.tif 000005
【図４】
2010203162.tif 000006
【図５】
2010203162.tif 000007
【図６】
2010203162.tif 000008
【図７】
2010203162.tif 000009
【図８】
2010203162.tif 000010
【図９】
2010203162.tif 000011
【図１０】
2010203162.tif 000012